(57)【要約】【課題】  簡便な方式でジョブの仕分けが容易な印刷装置を提供する。【解決手段】  ジョブの区切れに用紙切断治具として利用可能なセパレータを挿入する。【選択図】  図１
2008201485.tif 000002
【特許請求の範囲】
【請求項１】
連続した用紙が排出部に折り畳まれた状態でスタックされる印刷装置において、印刷ジョブの区切りを示すセパレータを挿入する機構を有し、当該セパレータは用紙をミシン目に沿って切り離す治具としても機能することを特徴とする印刷装置。
【請求項２】
請求項１記載の印刷装置において、上記セパレータは端部に小突起を有することを特徴とする印刷装置。
【請求項３】
請求項２記載の印刷装置において、上記セパレータの小突起はタブ状に設置されており、セパレータを重ねる際にタブ位置を考慮することで、セパレータを重ねた厚みに小突起の高さが影響しないことを特徴とする印刷装置。
【発明の詳細な説明】
【技術分野】
【０００１】
本発明は、印刷装置に係り、特に排紙部におけるジョブの仕分けに関するものである。
【背景技術】
【０００２】
印刷装置の排紙部においてジョブの仕分けを容易にするために、各種手法が検討されている。特開昭６０−０５４８８０号公報には、用紙に仕分けマークを印刷する手法が述べられている。特開２００３−１４６５０４号公報は、連続紙の折方向をジョブの区切りで変更する手法を提案している。特許第３８０３５６９号公報は、ミシン目で用紙をカットする方式である。特開２００５−２３９３７５号公報においては、付箋紙を貼ることで仕分けの容易化を図っている。
【０００３】
【特許文献１】特開昭６０−０５４８８０号公報
【特許文献２】特開２００３−１４６５０４号公報
【特許文献３】特許第３８０３５６９号公報
【特許文献４】特開２００５−２３９３７５号公報
【発明の開示】
【発明が解決しようとする課題】
【０００４】
特開昭６０−０５４８８０号公報で述べられている、仕分けマークとジョブを同一の紙に印刷する方式においては、仕分けマークを印刷するスペースを確保するため、用紙端までジョブを印刷しないよう、注意が必要となる場合がある。これを避けるため、ジョブの区切りに仕分け用のページを挿入し、仕分けマークを仕分け用ページのみに印刷する手法もあるが、この方式では、用紙の消費量が増えてしまう。
【０００５】
特開２００３−１４６５０４号公報の方式では、折を変え用紙を突出させるため、ジョブの区切り位置の把握は容易になるが、区切り部の突出用紙を、運搬時等に誤って損壊する恐れがある。また、仕分け用のページを作成しない場合、ミシン目の上下どちらも印刷データとなるため、ジョブ同士を切り離す際に切り口がミシン目を外れ、ジョブが印刷されているページを損壊する恐れがある。
【０００６】
特許第３８０３５６９号公報では、用紙切断時に用紙送り動作を停止するため、印刷装置のスループットに影響を及ぼす恐れがある。また、ジョブの区切れにて用紙を切断したくない場合、本方式は望ましくない。
【０００７】
特開２００５−２３９３７５号公報で述べられている付箋紙は、付箋紙自体の再利用が難しく、印刷装置のランニングコストを上昇させる一因となり得る。
【０００８】
本発明は、上記した問題を鑑み、無駄な用紙を生ずることなく排紙部におけるジョブの区切りを容易に目視確認可能とすると共に、印刷装置のスループットに影響を与えることなく、ジョブの区切りとなるミシン目における用紙切断の容易化を目的とする。
【課題を解決するための手段】
【０００９】
上記目的を達成するため、本発明においては、印刷装置の排紙部にジョブの区切れを示し、用紙切断の治具となるセパレータを挿入する手段を有する。
【００１０】
また、本発明に係る排紙部では、セパレータ挿入時にセパレータ全体が用紙の中に埋没しないよう、セパレータは、端部に小突起を有する。
【００１１】
また、本発明に係る排紙部では、セパレータを重ねても、前記小突起が重ならないよう、セパレータはタブ状の小突起を有する。
【発明の効果】
【００１２】
本発明に係る印刷装置の排紙部では、ジョブの区切れにセパレータを挿入することで、仕訳けページ挿入や仕分けマーク印刷を実施しなくとも、ジョブの区切れを容易に目視確認できる。また、前記セパレータをミシン目に沿って動かし、用紙を切断することで、用紙を損壊することなくジョブ同士を切り離すことが可能となる。セパレータの挿入には、用紙送りの停止は不要であり、印刷装置のスループットを低下させる恐れはない。前記セパレータはプラスチック等の硬質な材料で製造されており、再利用可能であるため、印刷装置のランニングコストに影響を与えない。
【００１３】
尚、前記セパレータが用紙幅より小さい場合でも、前記セパレータ端部の小突起が用紙端に引っかかるため、セパレータが用紙に埋没することはない。
【００１４】
また、前記セパレータの小突起はタブ状に設置されているため、これを考慮して重ねることで、セパレータ挿入動作を妨げることなく、セパレータを重ねることが可能となる。
【発明を実施するための最良の形態】
【００１５】
硬質な材料で作成したセパレータをジョブの区切れに挿入することで、ジョブ間区切れの目視確認、およびジョブ間区切れミシン目における切離しの容易化を簡便に実現した。
【００１６】
図１は、本発明の実施形態に係る印刷装置の排紙部を示す図である。
【００１７】
排出中の用紙１は、図の上方から送られており、スタック面２で水平になり、スタック済み用紙３として積み重ねられる。用紙１の前に排出された用紙２０は、ほぼスタック面２に重なろうとしている。セパレータ挿入装置４は、セパレータケース５、ピックローラ６、送出ローラ７、送出ローラ支持アーム８を有し、セパレータ９をスタック面２に重なろうとしている用紙２０の上面に向けて送り出す。用紙２０の上面におかれた挿入済みセパレータ１０は、端部が用紙から覘いている状態となる。また、セパレータ挿入装置４は、セパレータ挿入装置移動レール１３により、移動可能である。
【００１８】
図２は、セパレータ挿入装置４を別の角度から見た図である。セパレータケース５の下部より、ピックローラ６によって取り出されたセパレータ９は、図中手前の送出ローラ支持アーム８、または奥側の送出ローラ支持アーム１２により、挟み込まれる。
【００１９】
手前の送出ローラ支持アーム８に挟み込まれたセパレータ９は反時計回りに、奥側の送出ローラ支持アーム１２に挟み込まれたセパレータ９は、時計回りに９０度回転させられた後、支持アーム先端の送出ローラ７により送り出される。
【００２０】
図３は、図１を上方向から見た図である。ジョブの区切れが、スタック済み用紙３のスタック済み用紙端面１５であれば、セパレータ９は、送出ローラ支持アーム８により回転させられる。ジョブの区切れが、スタック済み用紙３のスタック済み用紙端面１４であれば、セパレータ９は、送出ローラ支持アーム１２により回転させられる。用紙長１６が、セパレータ長１７に対して大きい場合、セパレータ挿入装置４は、スタック済み用紙端面１４、１５に近い位置にセパレータ１０を置けるよう、ジョブの区切れにより、セパレータ挿入装置移動レール１３の上を用紙長方向に移動する。
【００２１】
排出装置内部に余裕があれば、セパレータ挿入装置を２つ有することで、セパレータ挿入装置移動レール１３による挿入位置変更動作を最小限に抑えることができる。
【００２２】
図４は、図１における排出中の用紙１及びスタック済み用紙３を別の角度から見た図である。用紙２０のジョブの区切れはミシン目２１であり、用紙２０がスタック面２に十分近づくと、セパレータ１０がセパレータの挿入方法を示す矢印１９の方向から差し込まれる。
【００２３】
図５は、スタック済みの用紙にセパレータが幾つか差し込まれた状態を示す図である。オペレータは任意の位置にあるセパレータ１０をスタック済み用紙端面２２方向に引き寄せ、ミシン目２３に沿って移動させることで、用紙を切断する。
【００２４】
図６は、セパレータの形状を示す図である。最もタブが短いセパレータ２４のタブ２５の先端にある小突起２６の高さは、タブ２５の拡大２７に示されるように、セパレータ本体の厚みを超えない。また、タブ位置を変えてややタブを長くしたセパレータ２８、さらにタブ位置を変えてさらにタブを長くしたセパレータ２９のように、タブ位置により、タブの長さを変化させる。これにより、図７のように、セパレータケースから引き出される順番を考慮してセパレータを重ねることで小突起の干渉を防ぎ、セパレータがセパレータケースから引き出される方向を示す矢印３０の方向に、下のセパレータから順次引き出すことが可能である。
【００２５】
本発明は更に、予めセパレータのタブに数字を連番で付けたり、色の異なるセパレータを周期的に使うことで、ジョブ数の目視確認が可能となる。
【００２６】
また、セパレータのケースを透明な部材とし、セパレータ自体の残数を容易に確認できるようにしておくことによっても、ジョブ数の把握に一助となる。
【図面の簡単な説明】
【００２７】
【図１】本発明の実施形態に係る印刷装置の排紙部を示す図である。
【図２】本発明の実施形態に係るセパレータ挿入装置を示す図である。
【図３】本発明の実施形態に係る印刷装置の排紙部を示す図である。
【図４】排出中の用紙及びスタック済み用紙の説明図である。
【図５】スタック済みの用紙にセパレータが差し込まれている状態を示す説明図である。
【図６】セパレータ形状を示す説明図である。
【図７】セパレータを重ねた状態を示す説明図である。
【符号の説明】
【００２８】
１  排出中の用紙
２  スタック面
３  スタック済み用紙
４  セパレータ挿入装置
５  セパレータケース
６  ピックローラ
７  送出ローラ
８  送出ローラ支持アーム
９  セパレータ
１０  挿入済みセパレータ
１２  奥側の送出ローラ支持アーム
１３  セパレータ挿入装置移動レール
１４  スタック済み用紙端面
１５  スタック済み用紙端面
１６  用紙長
１７  セパレータ長
１９  セパレータの挿入方向を示す矢印
２０  用紙
２１  ミシン目
２２  スタック済み用紙端面
２３  ミシン目
２４  最もタブが短いセパレータ
２５  タブ
２６  小突起
２７  タブ２５の拡大
２８  ややタブを長くしたセパレータ
２９  さらにタブを長くしたセパレータ
３０  セパレータがセパレータケースから引き出される方向を示す矢印
【図１】
2008201485.tif 000003
【図２】
2008201485.tif 000004
【図３】
2008201485.tif 000005
【図４】
2008201485.tif 000006
【図５】
2008201485.tif 000007
【図６】
2008201485.tif 000008
【図７】
2008201485.tif 000009